(57)【特許請求の範囲】
【請求項１】
舗装道路に、該舗装道路のカーブに沿って暗渠を構築する暗渠の構築方法であって、
前記暗渠が構築される凹所の底部に、上面が水平面に対してカーブの内側に傾斜する底盤を施工し、
この底盤の上面に、暗渠を設けることを特徴とする暗渠の構築方法。
【請求項２】
請求項１記載の暗渠の構築方法において、
前記暗渠がプレキャストコンクリート製であり、前記底盤の上面に暗渠を設置することを特徴とする暗渠の構築方法。
【発明の詳細な説明】
【０００１】
【発明の属する技術分野】
本発明は、暗渠の構築方法に係り、詳細にはプレキャストコンクリートで作製された暗渠の構築方法に関する。
【０００２】
【従来の技術】
従来より、カルバート、水路、擁壁等に使用されるプレキャストコンクリートは、幾種類かの規格品を作製しておき、用途に応じて適宜利用されている。例えば、図４に示すように、道路舗装面１００ａから流れる雨、雪等の流水を効率良く集水するコンクリート製暗渠ブロック１５０がある。このようなコンクリート製暗渠ブロック１５０としては、特開平１１−２８００１５号公報に記載された技術が知られている。この技術は、雨、雪等の流水を集水するために、道路舗装面１００ａの横断勾配１０１と一致するように幅方向の上面１５０ａを傾斜させた暗渠１５０を水平な底盤１１０上に敷設したものである。
【０００３】
【発明が解決しようとする課題】
しかしながら、前記公報の技術では、道路舗装面１００ａの横断勾配１０１が道路の曲率によって約１．５％〜３％と変化する場合、図４に示すように、暗渠１５０の上面１５０ａを道路舗装面１００ａの横断勾配１０１に一致させて設計するとともに、その設計条件に合わせて暗渠１５０を作製しなければならない。よって、暗渠１５０の作製には所定の期間を要し、プレキャストコンクリートの利点である工期の短縮を十分に果たすことができなかった。
【０００４】
また、図５に示すように、舗装道路２６０下に埋設され、水路等として使用される暗渠２５０は、地盤中に水平に敷設されている。この場合、舗装道路２６０下に、該舗装道路２６０のカーブに沿って暗渠２５０を構築すると、この暗渠２５０の長手方向の内部に設けられた流水孔２６５では、この流水孔２６５内の流水が該カーブに沿って流れるようになる。ところが、この流水が該カーブに沿って流れると、この流水をカーブの外側に向かって流そうとする遠心力が発生することにより、この流水がカーブの外側に片寄り、流水孔２６５内で片流れを起こし、流水孔２６５の壁面を局部的に侵食する恐れがある。
【０００５】
本発明は上記事情に鑑みてなされたものであり、底盤の上面を幅方向に適宜傾斜させることによって、暗渠の流水孔内での片流れを容易に防止することができる暗渠の構築方法を提供することを目的としている。
【０００８】
【課題を解決するための手段】
以上の課題を解決するため、請求項１記載の発明は、例えば、図２および図３に示すように、舗装道路１０に、該舗装道路１０のカーブに沿って暗渠を構築する暗渠３０の構築方法であって、前記暗渠３０が構築される凹所４０の底部４０ａに、上面６０ａが水平面に対してカーブの内側に傾斜する底盤６０を施工し、この底盤６０の上面６０ａに、暗渠３０を設けることを特徴とする。
【０００９】
請求項１記載の発明によれば、上面が水平面に対してカーブの内側に傾斜する底盤を施工し、この底盤の上面に、暗渠を設けることによって、この暗渠の長手方向の内部に設けられた流水孔では、流水が該カーブに沿って流れることにより、カーブの外側に向かって流水を流そうとする遠心力が発生するとともに、カーブの内側に向かって流水を流そうとする重力が作用する。したがって、流水孔内の流水は、該遠心力と重力とが釣り合って、カーブの外側方向で片流れを起こさず、流水孔の壁面を局部的に侵食することがない。
【００１０】
請求項２記載の発明は、例えば、図４に示すように、請求項１記載の暗渠３０の構築方法において、前記暗渠３０がプレキャストコンクリート製であり、前記底盤６０の上面６０ａに暗渠３０を設置することを特徴とする。
【００１１】
請求項２記載の発明によれば、暗渠がプレキャストコンクリート製であり、底盤の上面に暗渠を設置することによって、現場でコンクリートを打設することなく、容易に暗渠を構築することができる。したがって、暗渠を構築するのに要する工期を短縮することができる。
【００１２】
【発明の実施の形態】
以下、図１および図２を参照して本発明の実施の形態を詳細に説明する。
（第１の実施の形態）
第１の実施の形態は、図１に示すように、舗装道路１の横断方向端部に暗渠３を構築する暗渠の構築方法である。
暗渠３は、断面視矩形状の長尺なプレキャストコンクリート製であって、その長手方向の内部には断面視円形状の流水孔８が設けられている。
【００１３】
まず、舗装道路１と舗道２１とを区別する縁石２０に沿って地盤１５を掘削し、暗渠３が構築される凹所４を構築する。この凹所４の幅は暗渠３の幅より十分に広くする。そして、この凹所４の底部４ａに、上面６ａが道路舗装面１ａの横断勾配５とほぼ等しい底盤６を施工する。この底盤６は、現場で底部４ａ上に割栗石６ｂ等を敷詰め、ランマー等でこの割栗石６ｂを締め固めた後、この割栗石６ｂ等上に捨てコンクリート６ｃを打設することや砂敷きを行うことによって構築される。
次に、底盤６の上面６ａに暗渠３の丁張りや墨出しをし、その丁張りや墨出しで測定された線に沿って暗渠３をその上面３ａが道路舗装面１ａとほぼ面一になるように底盤６の上面６ａに設置する。そして、凹所４と暗渠３との隙間に土砂等を埋め戻す。
【００１４】
以上により、第１の実施の形態によれば、上面６ａの勾配が横断勾配５とほぼ等しい底盤６を現場で施工し、この底盤６の上面６ａに、プレキャストコンクリート製の暗渠３をその上面３ａが道路舗装面１とほぼ面一になるように設置することによって、現場でコンクリートを打設することなく、容易に暗渠３を構築することができる。また、道路舗装面１の横断勾配５が道路の曲率によって約１．５％〜３％と変化する場合であっても、その横断勾配５と底盤６の上面勾配とがほぼ等しいので、暗渠３の上面３ａを道路舗装面１と容易に面一にできる。したがって、道路舗装面１ａの横断勾配５が変化するたびに、新たな暗渠３を設計することやその設計条件に合わせて新たな暗渠３を作製することがなくなり、暗渠３を構築するのに要する工期を短縮することができる。
【００１５】
（第２の実施の形態）
第２の実施の形態は、図２および図３に示すように、舗装道路１０に、該舗装道路１０のカーブに沿って暗渠３０を構築する暗渠の構築方法である。
暗渠３０は、断面視矩形状の長尺なプレキャストコンクリート製であって、その長手方向の内部には断面視ロ形状の流水孔８０が設けられている。
【００１６】
まず、舗装道路１０のカーブに沿って地盤２５を掘削し、暗渠３０が構築される凹所４０を構築する。その際に、図２中の二点鎖線で示すように、この凹所４０の幅は暗渠３０の幅より十分に広くするとともに、その深さは暗渠３０の深さより十分に深くする。そして、この凹所４０の底部４０ａに、上面６０ａが水平面に対してカーブの内側に傾斜する底盤６０を施工する。この底盤６０は、第１の実施の形態と同様にして構築される。次に、第１の実施の形態と同様にして、底盤６０の上面６０ａに墨出し等をし、その墨出し等で測定された線に沿って暗渠３０を底盤６０の上面６０ａに設置する。そして、凹所４０と暗渠３０との隙間および暗渠３０の上面に土砂等を埋め戻す。
【００１７】
以上により、第２の実施の形態によれば、第１の実施の形態と同様の効果の他に、上面６０が水平面に対してカーブの内側に傾斜する底盤６０を現場で施工し、この底盤６０の上面６０ａに、プレキャストコンクリート製の暗渠３０を設置することによって、この暗渠３０の流水孔８０では、流水５０が該カーブに沿って流れることにより、カーブの外側に向かって流水５０を流そうとする遠心力が発生するとともに、カーブの内側に向かって流水５０を流そうとする重力が作用する。したがって、流水孔８０内の流水５０は、該遠心力と重力とが釣り合って、カーブの外側方向で片流れを起こさず、流水孔８０の壁面を局部的に侵食することがない。
【００１９】
【発明の効果】
請求項１記載の発明によれば、上面が水平面に対してカーブの内側に傾斜する底盤を施工し、この底盤の上面に、暗渠を設けることによって、この暗渠の流水孔では、流水が該カーブに沿って流れることにより、カーブの外側に向かって流水を流そうとする遠心力が発生するとともに、カーブの内側に向かって流水を流そうとする重力が作用する。したがって、流水孔内の流水は、カーブの外側方向で片流れを起こさず、流水孔の壁面を局部的に侵食することがない。
【００２０】
請求項２記載の発明によれば、請求項１記載の発明と同様の効果を得られることは勿論のこと、暗渠がプレキャストコンクリート製であり、底盤の上面に暗渠を設置することによって、現場でコンクリートを打設することなく、容易に暗渠を構築することができ、工期の短縮を図ることができる。
【図面の簡単な説明】
【図１】本発明の実施の形態の一例を示すもので、舗装道路の横断方向端部に構築された暗渠の断面図である。
【図２】同、舗装道路に、該舗装道路のカーブに沿って構築された暗渠の断面図である。
【図３】同、舗装道路に、該舗装道路のカーブに沿って構築された暗渠の平面図である。
【図４】従来の舗装道路の横断方向端部に構築された暗渠の断面図である。
【図５】従来の舗装道路に、該舗装道路のカーブに沿って構築された暗渠の断面図である。
【符号の説明】
１、１０      舗装道路
１ａ、１０ａ  道路舗装面
２            横断方向端部
３、３０      暗渠
４、４０      凹所
４ａ、４０ａ  底部（凹所）
５            横断勾配
６、６０      底盤
６ａ、６０ａ  上面（底盤）
【図１】
0003786600.tif 000002
【図２】
0003786600.tif 000003
【図３】
0003786600.tif 000004
【図４】
0003786600.tif 000005
【図５】
0003786600.tif 000006